(57)【特許請求の範囲】
【請求項１】
葉書本体シートと、この葉書本体シートの表裏面に重ね合わせて剥離可能に接着するための別体で２枚の貼着シートとからなり、貼着シートの一方は葉書本体シートとほぼ同一サイズで、貼着シートの他方は葉書本体シートよりも小さいサイズからなり、この葉書本体シートよりも小さいサイズの貼着シートには、前記葉書本体シートに重ね合わせて剥離困難に接着する葉書本体補助シートを連接して、前記葉書本体シートとほぼ同一サイズの宛て名表示シートとなし、前記葉書本体シートと前記葉書本体シートとほぼ同一サイズの貼着シートの重ね合わせ面には、剥離可能に疑似的に接着した２枚の透視可能なシートの各表出面に剥離困難な強粘着剤を設けたうえ剥離紙で被覆してなる接着体を、前記接着体の両面側の強粘着剤を一端縁に沿って露出することにより、露出した粘着剤で前記重ね合わせ面の双方に捲り上げ可能に接着する一方、前記葉書本体シートと前記宛て名表示シートの重ね合わせ面には、前記葉書本体補助シートに対応する部分は剥離困難に接着し、他の部分は剥離可能に疑似的に接着した２枚の透視可能なシートの各表出面に剥離困難な強粘着剤を設けたうえ剥離紙で被覆してなる接着体を、前記接着体の両面側の強粘着剤の前記葉書本体補助シートに対応する部分を露出することにより、露出した粘着剤で前記重ね合わせ面の双方の前記葉書本体補助シートに対応する部分に剥離困難に接着して、前記接着体を前記宛て名表示シートと前記葉書本体シートに対して捲り上げ可能となし、前記葉書本体補助シートの重ね合わせ面とは反対側面に葉書表示を設け、前記葉書本体シートと前記各貼着シートの重ね合わせ面をそれぞれ通知情報記載面としたことを特徴とする重ね合わせ葉書用シート。
【請求項２】
葉書本体シートと、この葉書本体シートの表裏面に重ね合わせて剥離可能に接着するための別体で２枚の貼着シートとからなり、貼着シートの一方は葉書本体シートとほぼ同一サイズで、貼着シートの他方は葉書本体シートよりも小さいサイズからなり、この葉書本体シートよりも小さいサイズの貼着シートには、前記葉書本体シートに重ね合わせて剥離困難に接着する葉書本体補助シートを連接して、前記葉書本体シートとほぼ同一サイズの宛て名表示シートとなし、前記葉書本体シートと前記葉書本体シートとほぼ同一サイズの貼着シートの重ね合わせ面の一方には、透視可能なシートの一面側を剥離可能または剥離困難に接着し、この透視可能なシートの他面側には、前記透視可能なシートが剥離可能であれば剥離困難な強粘着剤を設けるとともに一端縁を露出するよう剥離紙で被覆し、前記透視可能なシートが剥離困難であれば剥離可能な弱粘着剤を設けるとともに一端縁を露出するよう剥離紙で被覆し、露出した粘着剤で重ね合わせ面を接着する一方、前記葉書本体シートと前記宛て名表示シートの重ね合わせ面には、前記葉書本体補助シートに対応する部分は剥離困難に接着し、他の部分は剥離可能に疑似的に接着した２枚の透視可能なシートの各表出面に剥離困難な強粘着剤を設けたうえ剥離紙で被覆してなる接着体を、前記接着体の両面側の強粘着剤の前記葉書本体補助シートに対応する部分を露出することにより、露出した粘着剤で前記重ね合わせ面の双方の前記葉書本体補助シートに対応する部分に剥離困難に接着して、前記接着体を前記宛て名表示シートと前記葉書本体シートに対して捲り上げ可能となし、前記葉書本体補助シートの重ね合わせ面とは反対側面に葉書表示を設け、前記葉書本体シートと前記各貼着シートの重ね合わせ面をそれぞれ通知情報記載面としたことを特徴とする重ね合わせ葉書用シート。
【請求項３】
葉書本体シートと、この葉書本体シートの表裏面に重ね合わせて剥離可能に接着するための別体で２枚の貼着シートとからなり、貼着シートの一方は葉書本体シートとほぼ同一サイズで、貼着シートの他方は葉書本体シートよりも小さいサイズからなり、この葉書本体シートよりも小さいサイズの貼着シートには、前記葉書本体シートに重ね合わせて剥離困難に接着する葉書本体補助シートを連接して、前記葉書本体シートとほぼ同一サイズの宛て名表示シートとなし、前記葉書本体シートと前記葉書本体シートとほぼ同一サイズの貼着シートの重ね合わせ面には、剥離可能に疑似的に接着した２枚の透視可能なシートの各表出面に剥離困難な強粘着剤を設けたうえ剥離紙で被覆してなる接着体を、前記接着体の両面側の強粘着剤を一端縁に沿って露出することにより、露出した粘着剤で前記重ね合わせ面の双方に捲り上げ可能に接着する一方、前記葉書本体シートと前記宛て名表示シートの重ね合わせ面の一方には、貼着シートに対応する部分は、透視可能なシートを剥離可能または剥離困難に接着し、この透視可能なシートの表出面は、前記透視可能なシートが剥離可能であれば剥離困難な強粘着剤を設けるとともに剥離紙で被覆し、前記透視可能なシートが剥離困難であれば剥離可能な弱粘着剤を設けるとともに剥離紙で被覆し、葉書本体補助シートに対応する部分は、両面に剥離困難な強粘着剤を設けたシートで剥離困難に接着し、前記葉書本体補助シートの重ね合わせ面とは反対側面に葉書表示を設け、前記葉書本体シートと前記各貼着シートの重ね合わせ面をそれぞれ通知情報記載面としたことを特徴とする重ね合わせ葉書用シート。
【請求項４】
透視可能なシートの表出面に、剥離困難な強粘着剤を介して、または剥離可能な弱粘着剤を介して、設けた剥離紙の少なくとも一枚を控とし、葉書本体シートまたは各貼着シートへの記入によって前記控の一面に複写記入するための複写構造を設けたことを特徴とする請求項１〜請求項３のいずれか１項記載の重ね合わせ葉書用シート。
【発明の詳細な説明】
【０００１】
【発明の属する技術分野】
本発明は、封書と同様に親展性を有して所定の情報を通知できる重ね合わせ葉書とするための重ね合わせ葉書用シートに関し、特に、３紙片の表裏面である６面に情報を記載できるとともに、４面の通知情報を被覆隠蔽した状態で親展通知情報として通知できる葉書とするための、葉書本体シートと、この葉書本体シートの表裏面に重ね合わせる別体の２枚のシートとからなる葉書用シートに関する。なお、本明細書でいう親展通知情報とは、被覆隠蔽した状態で通知される情報を意味し、単なる説明文のような秘匿性を必要としない情報も含まれるものである。
【０００２】
【従来の技術】
従来、他人が通知情報を視認できないように親展化して通知しうる葉書として、６面に情報を記載できるとともに、４面の通知情報を被覆隠蔽した状態で親展通知情報として通知できる重ね合わせ葉書が知られており、また、このような重ね合わせ葉書を作成するための３枚のシートからなる葉書用シートも知られている。
【０００３】
しかしながら、従来の重ね合わせ葉書用シートは、３枚のシートを重ね合わせて重ね合わせ面を接着するには、シートの折り機構及び圧着または熱着する接着機構を備えた専用の葉書作成機が必要であった。
【０００４】
【発明が解決しようとする課題】
このため、従来の重ね合わせ葉書用シートは、大量処理には適しているが、少数の重ね合わせ葉書を必要とする、一般家庭や小事務所などの高価な専用の葉書作成機を備えることができないものの需要には、応えることがでなかった。
【０００５】
また、現行の郵便法の規定では、葉書本体に「郵便葉書」等の葉書表示が必要とされ、また、葉書本体の重量は２ｇ以上と定められているほか、葉書全体の重量は６ｇ以下と定められている。このため、３枚のシートからなる葉書用シートでは、葉書本体シートは２ｇ以上の重量を有し、残りの２枚のシートの総重量は４ｇ以下でなければならない。
【０００６】
本発明は、このような事情に鑑みてなされたもので、専用の葉書作成機を備えることなく、通知情報量の多い重ね合わせ葉書を簡便に作成できるとともに、現行の郵便法の規定にも合致する重ね合わせ葉書用シートを提供することを目的とする。
【０００７】
【課題を解決するための手段】
この目的を達成するために、本発明の請求項１に記載した重ね合わせ葉書用シートは、葉書本体シートと、この葉書本体シートの表裏面に重ね合わせて剥離可能に接着するための別体で２枚の貼着シートとからなり、貼着シートの一方は葉書本体シートとほぼ同一サイズで、貼着シートの他方は葉書本体シートよりも小さいサイズからなり、この葉書本体シートよりも小さいサイズの貼着シートには、前記葉書本体シートに重ね合わせて剥離困難に接着する葉書本体補助シートを連接して、前記葉書本体シートとほぼ同一サイズの宛て名表示シートとなし、前記葉書本体シートと前記葉書本体シートとほぼ同一サイズの貼着シートの重ね合わせ面には、剥離可能に疑似的に接着した２枚の透視可能なシートの各表出面に剥離困難な強粘着剤を設けたうえ剥離紙で被覆してなる接着体を、前記接着体の両面側の強粘着剤を一端縁に沿って露出することにより、露出した粘着剤で前記重ね合わせ面の双方に捲り上げ可能に接着する一方、前記葉書本体シートと前記宛て名表示シートの重ね合わせ面には、前記葉書本体補助シートに対応する部分は剥離困難に接着し、他の部分は剥離可能に疑似的に接着した２枚の透視可能なシートの各表出面に剥離困難な強粘着剤を設けたうえ剥離紙で被覆してなる接着体を、前記接着体の両面側の強粘着剤の前記葉書本体補助シートに対応する部分を露出することにより、露出した粘着剤で前記重ね合わせ面の双方の前記葉書本体補助シートに対応する部分に剥離困難に接着して、前記接着体を前記宛て名表示シートと前記葉書本体シートに対して捲り上げ可能となし、前記葉書本体補助シートの重ね合わせ面とは反対側面に葉書表示を設け、前記葉書本体シートと前記各貼着シートの重ね合わせ面をそれぞれ通知情報記載面としたものである。
【０００８】
また、上記目的を達成するために、本発明の請求項２に記載した重ね合わせ葉書用シートは、葉書本体シートと、この葉書本体シートの表裏面に重ね合わせて剥離可能に接着するための別体で２枚の貼着シートとからなり、貼着シートの一方は葉書本体シートとほぼ同一サイズで、貼着シートの他方は葉書本体シートよりも小さいサイズからなり、この葉書本体シートよりも小さいサイズの貼着シートには、前記葉書本体シートに重ね合わせて剥離困難に接着する葉書本体補助シートを連接して、前記葉書本体シートとほぼ同一サイズの宛て名表示シートとなし、前記葉書本体シートと前記葉書本体シートとほぼ同一サイズの貼着シートの重ね合わせ面の一方には、透視可能なシートの一面側を剥離可能または剥離困難に接着し、この透視可能なシートの他面側には、前記透視可能なシートが剥離可能であれば剥離困難な強粘着剤を設けるとともに一端縁を露出するよう剥離紙で被覆し、前記透視可能なシートが剥離困難であれば剥離可能な弱粘着剤を設けるとともに一端縁を露出するよう剥離紙で被覆し、露出した粘着剤で重ね合わせ面を接着する一方、前記葉書本体シートと前記宛て名表示シートの重ね合わせ面には、前記葉書本体補助シートに対応する部分は剥離困難に接着し、他の部分は剥離可能に疑似的に接着した２枚の透視可能なシートの各表出面に剥離困難な強粘着剤を設けたうえ剥離紙で被覆してなる接着体を、前記接着体の両面側の強粘着剤の前記葉書本体補助シートに対応する部分を露出することにより、露出した粘着剤で前記重ね合わせ面の双方の前記葉書本体補助シートに対応する部分に剥離困難に接着して、前記接着体を前記宛て名表示シートと前記葉書本体シートに対して捲り上げ可能となし、前記葉書本体補助シートの重ね合わせ面とは反対側面に葉書表示を設け、前記葉書本体シートと前記各貼着シートの重ね合わせ面をそれぞれ通知情報記載面としたものである。
【０００９】
さらに、上記目的を達成するために、本発明の請求項３に記載した重ね合わせ葉書用シートは、葉書本体シートと、この葉書本体シートの表裏面に重ね合わせて剥離可能に接着するための別体で２枚の貼着シートとからなり、貼着シートの一方は葉書本体シートとほぼ同一サイズで、貼着シートの他方は葉書本体シートよりも小さいサイズからなり、この葉書本体シートよりも小さいサイズの貼着シートには、前記葉書本体シートに重ね合わせて剥離困難に接着する葉書本体補助シートを連接して、前記葉書本体シートとほぼ同一サイズの宛て名表示シートとなし、前記葉書本体シートと前記葉書本体シートとほぼ同一サイズの貼着シートの重ね合わせ面には、剥離可能に疑似的に接着した２枚の透視可能なシートの各表出面に剥離困難な強粘着剤を設けたうえ剥離紙で被覆してなる接着体を、前記接着体の両面側の強粘着剤を一端縁に沿って露出することにより、露出した粘着剤で前記重ね合わせ面の双方に捲り上げ可能に接着する一方、前記葉書本体シートと前記宛て名表示シートの重ね合わせ面の一方には、貼着シートに対応する部分は、透視可能なシートを剥離可能または剥離困難に接着し、この透視可能なシートの表出面は、前記透視可能なシートが剥離可能であれば剥離困難な強粘着剤を設けるとともに剥離紙で被覆し、前記透視可能なシートが剥離困難であれば剥離可能な弱粘着剤を設けるとともに剥離紙で被覆し、葉書本体補助シートに対応する部分は、両面に剥離困難な強粘着剤を設けたシートで剥離困難に接着し、前記葉書本体補助シートの重ね合わせ面とは反対側面に葉書表示を設け、前記葉書本体シートと前記各貼着シートの重ね合わせ面をそれぞれ通知情報記載面としたものである。
【００１０】
またさらに、上記目的を達成するために、本発明の請求項４に記載した重ね合わせ葉書用シートは、上述した請求項１〜請求項３のいずれか１項の構成に加えて、透視可能なシートの表出面に、剥離困難な強粘着剤を介して、または剥離可能な弱粘着剤を介して、設けた剥離紙の少なくとも一枚を控とし、葉書本体シートまたは各貼着シートへの記入によって前記控の一面に複写記入するための複写構造を設けたものである。
【００１１】
【発明の実施形態】
以下、本発明の好適な実施形態を添付図面に基づいて説明する。ここにおいて、図１〜図５は第１の実施形態を示し、図１は重ね合わせ葉書用シートの概略的な斜視図、図２は図１の全構成要素を示すＡ−Ａ線断面図、図３は作成した重ね合わせ葉書の全構成要素を示す断面図、図４は控えたる剥離紙の複写記入状態を示す概略的な平面図、図５は重ね合わせ面を剥離した状態を示す重ね合わせ用葉書の概略的な斜視図、図６は第２の実施形態を示す重ね合わせ葉書用シートの全構成要素を示す断面図、図７及び図８は第３の実施形態を示し、図７は重ね合わせ葉書用シートの概略的な斜視図、図８は図７の全構成要素を示すＢ−Ｂ線断面図である。
【００１２】
まず、図１〜図５に基づいて、第１の実施形態を説明する。図１及び図２に示すように、重ね合わせ葉書用シート１は、葉書本体シート２と、この葉書本体シート２の表裏面（図２に示す葉書本体シート２の上面側を表面側とする、以下同じ）に重ね合わせて剥離可能に接着するための別体で２枚の貼着シート３，４とからなる。裏面側に重ねる貼着シート４は葉書本体シート２とほぼ同一サイズで、表面側に重ねる貼着シート３は葉書本体シート２よりも小さいサイズからなる。この貼着シート３には、前記葉書本体シート２に重ね合わせて剥離困難に接着する、図１上仮想線Ｐから左側部分で形成する葉書本体補助シート５を連接して、前記葉書本体シート２とほぼ同一サイズの宛て名表示シート６としている。
【００１３】
図２に示すように、葉書本体シート２表面と宛て名表示シート６との重ね合わせ面には、葉書本体補助シート５に対応する部分に、接着体７を強粘着剤８，９によって前記各シート２，４に対して捲り上げ可能に接着している。この接着体７は、前記葉書本体補助シート５に対応する熱溶着によって形成した完全溶着層１０部分は剥離困難に、同じく熱溶着によって形成した他の部分は不完全溶着層１１を介して剥離可能に疑似的に接着した、熱可塑性樹脂からなる２枚の透明シート１２，１３の各表出面に、剥離困難な前記強粘着剤８，９を設け、各強粘着剤８，９を一端縁に沿った部分を除いて剥離紙１４，１５で被覆してなる。
【００１４】
一方、葉書本体シート２裏面と貼着シート４との重ね合わせ面には、葉書本体補助シート５に対応する部分に、接着体１６を強粘着剤１７，１８によって捲り上げ可能に接着している。この接着体１６は、熱溶着によって形成した不完全溶着層１９を介して剥離可能に疑似的に接着した、熱可塑性樹脂からなる２枚の透明シート２０，２１の各表出面に、剥離困難な前記強粘着剤１７，１８を設け、これら強粘着剤１７，１８は前記葉書本体補助シート５に対応する一端縁に沿った部分を除いて剥離紙２２，２３で被覆してなる。そして、露出した前記強粘着剤１７，１８によって、接着体１６は葉書本体補助シート５に対応する部分に接着している。
【００１５】
上述の各透明シート１２，１３，２０，２１は、ポリエチレン、ポリプロピレン、ポリスチレン、ポリエステル、ポリ塩化ビニル、ポリ酢酸ビニル、メタクリル樹脂等のなかから適宜選択して使用することができる。
【００１６】
また、剥離紙２２は控となるもので、図２に示すように、その表出面には顕色剤層２４を設けている。一方、葉書本体シート２の裏面側には、同じく図２に示すように、染料内包マイクロカプセル剤層２５を設けている。これら顕色剤層２４と染料内包マイクロカプセル剤層２５とによって、前記葉書本体シート２の表面側への記入により、前記剥離紙２２に複写記入するための複写構造を構成している。
【００１７】
顕色剤層２４を形成する顕色剤は、レジンや活性白土等から適宜選択して使用することができる。染料内包マイクロカプセル剤層２５を形成する染料内包マイクロカプセル剤は、例えば、芯物質をロイコ系染料とし、酸触媒及び乳化機能を有するスチレン−無水マレイン酸の部分加水分解物と、メラミンまたは尿素とホルマリンあるいはこれらのプレポリマを用い、インサイチュ法によって尿素−ホルマリン樹脂を形成し、これをカプセル壁材として生成した染料内包マイクロカプセル剤について、そのカプセル壁材を覆うような状態でカプセル壁材及びインキビヒクルの双方に親和性のある界面活性剤層を設け、さらに真空蒸留法をもって水分を選択的に気化し、除去することで、水系で生成された染料内包マイクロカプセルを、この界面活性剤層を介してインキビヒクル中に分散状態で置換せしめて得ることができる。
【００１８】
図１に示すように、葉書本体補助シート５の重ね合わせ面とは反対側面には「郵便はがき」という葉書表示２６を設け、葉書本体シート２と各貼着シート３，４の重ね合わせ面をそれぞれ通知情報記載面としている。また、各貼着シート３，４にはそれぞれ、右下隅部に向けた矢印と「ここからはがして下さい」という文からなる剥離開始端指示表示２７（貼着シート３についてのみ図示）をあらかじめ印刷している。
【００１９】
そして、図１及び図２に示すように、各接着体７，１６の幅は、葉書本体シート２、貼着シート３及び宛て名シート４の幅よりも狭く構成され、葉書本体補助シート５と反対側端が前記各シート２，３，４端よりも内側に位置している。これによって、突出した前記各シート２，３，４端が、重ね合わせ葉書を作成した時に、各重ね合わせ面を剥離する際の指掛け部となる。
【００２０】
次に、上述した重ね合わせ葉書用シート１から重ね合わせ葉書を作成する手順を説明する。まず、葉書本体シート２から接着体７を捲り上げて、前記葉書本体シート２の表面側に親展通知情報２８（図３参照）を記入する。すると、図４に示すように、この親展通知情報２８が、染料内包マイクロカプセル剤層２５と顕色剤層２４の作用によって、控である剥離紙２２に控情報２９として複写記入される。また、貼着シート４から接着体１６を捲り上げて、前記貼着シート４の葉書本体シート２との重ね合わせ面に親展通知情報３０（図３参照）を記入する。さらに、貼着シート３の表出面に宛名情報３３（図３参照）を記入する。
【００２１】
次いで、図１及び図２状態とは表裏面を反対にしたうえ、貼着シート３から接着体７を捲り上げて、前記貼着シート３の葉書本体シート２との重ね合わせ面に親展通知情報３１（図３参照）を記入する。また、前記葉書本体シート２の裏面側には親展通知情報３２（図４参照）を記入する。さらに、貼着シート４の表出面には差出人情報（図示せず）を記入する。
【００２２】
さらに続いて、接着体７を葉書本体シート２及び貼着シート３から順次捲り上げて各剥離紙１４，１５を剥離し、露出した強粘着剤８，９によって前記葉書本体シート２と前記貼着シート３との重ね合わせ面を、透明シート１２，１３を介して接着する。これによって、前記葉書本体シート２と宛て名シート６との重ね合わせ面は、葉書補助シート５に対応する部分は前記透明シート１２，１３を介して剥離困難に、前記貼着シート３に対応する部分は前記透明シート２１，２２を介して剥離可能に接着された状態になる。
【００２３】
また、接着体１６を葉書本体シート２及び貼着シート４から順次捲り上げて各剥離紙２２，２３を剥離し、露出した強粘着剤１７，１８によって、前記葉書本体シート２と前記貼着シート４との重ね合わせ面を、透明シート２０，２１を介して剥離可能に接着する。これによって、図３に示す重ね合わせ葉書３４が作成される。
【００２４】
この重ね合わせ葉書３４は、所定金額の切手を貼付すれば、通常の官製葉書と同様に投函可能となる。一方、この重ね合わせ葉書３４を受領した宛名人は、各剥離開始端指示表示２７にしたがい、各貼着シート３，４を順次捲り上げる。すると、剥離困難な完全溶着層１０に対応する葉書本体補助シート５部分を除いて、それぞれ剥離可能に疑似的に接着している透明シート１２，１３及び２０，２１が剥離し、図５に示すように、葉書本体シート２の表裏面から前記各貼着シート３，４が剥離して、各透明シート１２，１３，２０，２１を透して隠蔽されていた親展通知情報３１，２８，３２，３０を視認することができる。
【００２５】
次に、図６に基づいて本発明の第２の実施形態を説明する。本実施形態の重ね合わせ葉書用シート４１は、第１の実施形態における２枚の透明シート１２，１３及び２０，２１を有する各接着体７，１６に換えて、１枚の透明シート４５，４６を強粘着剤４７，４８によって、剥離困難に各貼着シート４３，４４の葉書本体シート４２との重ね合わせ面に接着している。
【００２６】
そして、各透明シート４５，４６の強粘着剤４７，４８塗布面とは反対面には、葉書本体補助シート４９に対応する部分は剥離困難な強粘着剤５０を、他の部分は剥離可能な弱粘着剤５１，５２を塗布して、この弱粘着剤５１，５２塗布部分を剥離紙５３，５４で被覆し、前記各貼着シート４３，４４を前記強粘着剤５０と弱粘着剤５２によって、それぞれ葉書本体シート４２に捲り上げ可能に接着している。
【００２７】
また、重ね合わせ葉書を作成した時の指掛け部を形成するために、各透明シート４５，４６及び剥離紙５３，５４の端部が、葉書本体シート４２及び各貼着シート４３，４４の端部の内側に位置するよう構成している。
【００２８】
本実施形態では、各透明シート４５，４６は各貼着シート４３，４４と剥離困難であるため、各貼着シート４３，４４にあらかじめ所定の親展通知情報５５，５６を印字あるいは印刷したうえ、各透明シート４５，４６を接着している。なお、図６において、５７は葉書表示、５８は顕色剤層、５９は染料内包マイクロカプセル剤層である。
【００２９】
上述した重ね合わせ葉書用シート４１から重ね合わせ葉書（図示せず）を作成する手順で第１の実施形態と相違するのは、各貼着シート４３，４４の重ね合わせ面には親展通知情報５５，５６があらかじめ印字あるいは印刷されているので、葉書本体シート４２の表裏面にのみ親展通知情報を記入する点だけである。そして、剥離紙５４が控となり、貼着シート４３を捲り上げて葉書本体シート４２の表面側に記入した親展通知情報（図示せず）が、控情報として前記剥離紙５４に複写記入される。
【００３０】
また、この第２の実施形態では、作成された重ね合わせ葉書の重ね合わせ面を各貼着シート４３，４４を捲り上げて剥離すると、各透明シート４５，４６は各貼着シート４３，４４側に接着した状態となり、葉書本体シート４２の表裏面に記入した親展通知情報（図示せず）は露出状態で視認可能になる一方、各貼着シート４３，４４の重ね合わせ面に記入した親展通知情報５５，５６は各透明シート４５，４６を透して視認可能となる。
【００３１】
次に、図７及び図８に基づいて、第３の実施形態を説明する。図７及び図８に示すように、重ね合わせ葉書用シート６１は、葉書本体シート６２と、この葉書本体シート６２の表裏面に重ね合わせて剥離可能に接着するための別体で２枚の貼着シート６３，６４とからなる。裏面側に重ねる貼着シート６４は葉書本体シート６２とほぼ同一サイズで、表面側に重ねる貼着シート６３は葉書本体シート６２よりも小さいサイズからなる。この貼着シート６３には、前記葉書本体シート６２に重ね合わせて剥離困難に接着する葉書本体補助シート６５を、切り用ミシン目６６を介して連接して、前記葉書本体シート６２とほぼ同一サイズの宛て名表示シート６７としている。
【００３２】
葉書本体シート６２裏面と貼着シート６４との重ね合わせ面には、接着体６８を強粘着剤６９，７０によって前記各シート６２，６４に対して捲り上げ可能に接着している。この接着体６８の構成は、上述した第１の実施形態の接着体１６と同一であり、不完全溶着層７１により剥離可能に疑似的に接着した２枚の透明シート７２，７３と、これら透明シート７２，７３に設けた前記強粘着剤６９，７０の一部を露出して被覆する剥離紙７４，７５とを備えている。
【００３３】
図８に示すように、葉書本体シート６２表面と宛て名シート６７との重ね合わせ面には、熱可塑性樹脂からなる透明シート７６を剥離困難な強粘着剤７７によって接着している。前記透明シート７６の前記宛て名シート６７とは反対面側には、同じく熱可塑性樹脂からなる透明シート７８を、葉書本体補助シート６５に対応する熱溶着によって形成した完全溶着層７９部分は剥離困難に、その他の不完全溶着層８０部分は剥離可能に疑似的に接着している。したがって、前記透明シート７８は、前記葉書本体補助シート６５には剥離困難に、貼着シート６３には不完全溶着層８０から剥離可能に接着している。
【００３４】
本実施形態では、透明シート７６は貼着シート６３と剥離困難であるため、貼着シート６３にあらかじめ所定の親展通知情報８１を印字あるいは印刷したうえ、透明シート７６を接着している。また、透明シート７８の表出面には、剥離困難な強粘着剤８２を設けたうえ、葉書本体補助シート６５及び完全溶着層７９に対応する一端部分を露出して剥離紙８３で被覆している。
【００３５】
一方、剥離紙７４は控となるもので、その表出面には顕色剤層８４を設けている。また、葉書本体シート６２の裏面側には、染料内包マイクロカプセル剤層８５を設け、これら顕色剤層８４と染料内包マイクロカプセル剤層８５とによって、貼着シート６３を捲り上げて前記葉書本体シート６２の表面側へ記入することにより、前記剥離紙７４に複写記入するための複写構造を構成している。
【００３６】
なお、図７及び図８に示すように、８６は葉書本体補助シート６５の重ね合わせ面とは反対側面に設けた葉書表示である。さらに、重ね合わせ葉書を作成した時の指掛け部を形成するために、接着体６８、各透明シート７６，７８及び剥離紙８３の各一端部が、葉書本体シート６２、貼着シート６４及び宛て名シート６７の各一端部の内側に位置するよう構成している。またさらに、図８に示すように、切り用ミシン目６６は透明シート７８の表面にまで達するよう形成している。
【００３７】
上述した重ね合わせ葉書用シート６１から重ね合わせ葉書（図示せず）を作成する手順で第１の実施形態と相違するのは、貼着シート６３の重ね合わせ面には親展通知情報８１があらかじめ印字あるいは印刷されているので、この貼着シート６３の重ね合わせ面を除いた、葉書本体シート６２の表裏面及び貼着シート６４の重ね合わせ面に親展通知情報を記入する点だけである。そして、剥離紙７４が控となり、葉書本体シート６２の表面側に記入した親展通知情報（図示せず）が、控情報として複写記入される。
【００３８】
また、この第３の実施形態では、作成された重ね合わせ葉書の重ね合わせ面を剥離するには、貼着シート６３は切り用ミシン目６６を破断しながら捲り上げるものである。これによって、葉書本体補助シート６５が葉書本体シート６２に貼着した状態で、各透明シート７６，７８，７２，７３を透して葉書本体シート６２及び各貼着シート６３，６４の重ね合わせ面に表示した親展通知情報８１（貼着シート６３についてのみ図示）を視認することができる。
【００３９】
なお、本発明は上述した各実施形態に限られるものではなく、例えば、各重ね合わせ面に設ける透明シート１２，１３，２０，２１，４５，４６，７２，７３，７６，７８は、２枚同士あるいは１枚同士ではなく、２枚と１枚とを組み合わせてもよい。また、葉書表示２６，５７，８６は「郵便はがき」のほか、郵便葉書を意味する字句であればよく、「ＰＯＳＴ  ＣＡＲＤ」のような英文字による表示でもよいものである。
【００４０】
控である剥離紙２２，５４，７４は１枚に限らず２枚以上であってもよい。さらに、控情報を複写記入するための複写構造は、顕色剤層２４，５８，８４と染料内包マイクロカプセル剤層２５，５９，８５との組み合わせに限らず、自己発色剤層を利用したものでもよい。また、重ね合わせ葉書用シート１，４１，６１には、作成した葉書３４の重ね合わせ面を剥離する時の指掛け部として、各透明シート１２，１３，２０，２１，４５，４６，７２，７３の幅を各貼着シート３，４，４３，４４，６３，６４及び葉書本体シート２，４２，６２の幅よりも狭く設定するほか、各貼着シート３，４，４３，４４，６３，６４の隅部に切り欠き部を設けたり、各透明シート１２，１３，２０，２１，４５，４６，７２，７３の端縁に凹部を形成してもよい。
【００４１】
【発明の効果】
このようにして、本願の請求項１の発明である重ね合わせ葉書用シートによれば、専用の葉書作成機を備えることなく、通知情報量の多い重ね合わせ葉書を簡便に作成できるとともに、現行の郵便法の規定にも合致する重ね合わせ葉書を作成でき、また、全ての重ね合わせ面に通知情報を記入することができるという効果を奏する。
【００４２】
また、本願の請求項２及び請求項３の発明である重ね合わせ葉書用シートによれば、専用の葉書作成機を備えることなく、通知情報量の多い重ね合わせ葉書を簡便に作成できるとともに、現行の郵便法の規定にも合致する重ね合わせ葉書を作成でき、各重ね合わせ面を剥離可能に接着する構成として、１枚の透視可能なシートと２枚の透視可能なシートとを組み合わせて用いるので、多様なニーズに対応できるという効果を奏する。
【００４３】
さらに、本願の請求項３及び請求項４の発明である重ね合わせ葉書用シートによれば、上記請求項１〜請求項３の発明の効果に加えて、通知情報を複写記入した控を得られるので、通知情報の管理が容易になるという効果を奏する。
【図面の簡単な説明】
【図１】  第１の実施形態の重ね合わせ葉書用シートの概略的な斜視図。
【図２】  同じく図１の全構成要素を示すＡ−Ａ線断面図。
【図３】  同じく作成した重ね合わせ葉書の全構成要素を示す断面図。
【図４】  同じく控たる剥離紙の複写記入状態を示す概略的な平面図。
【図５】  同じく重ね合わせ面を剥離した状態の重ね合わせ葉書の概略的な斜視図。
【図６】  第２の実施形態の重ね合わせ葉書用シートの全構成要素を示す断面図。
【図７】  第３の実施形態の重ね合わせ葉書用シートの概略的な斜視図。
【図８】  同じく図７の全構成要素を示すＢ−Ｂ線断面図
【符号の説明】
１，４１，６１      重ね合わせ葉書用シート
２，４２，６２      葉書本体シート
３，４，４３，４４，６３，６４      貼着シート
６，６７      宛て名表示シート
５，４９，６５      葉書本体補助シート
８，９，１７，１８，４７，４８，５０，６９，７０，７７，８２      強粘着剤
１０，７９      完全溶着層
１１，１９，７１，８０      不完全溶着層
１２，１３，２０，２１，４５，４６，７２，７３，７６，７８      透明シート
１４，１５，２２，２３，５３，５４，７４，７５，８３      剥離紙
７，１６，６８      接着体
２４，５８，８４      顕色剤層
２５，５９，８５      染料内包マイクロカプセル剤層
２６，５７，８６      葉書表示
２８，３０，３１，３２，５５，５６，８１      親展通知情報
２９      控情報
３４      重ね合わせ葉書
６６      切り用ミシン目
【図１】
0003835873.tif 000002
【図２】
0003835873.tif 000003
【図３】
0003835873.tif 000004
【図４】
0003835873.tif 000005
【図５】
0003835873.tif 000006
【図６】
0003835873.tif 000007
【図７】
0003835873.tif 000008
【図８】
0003835873.tif 000009